(57)【要約】【課題】ゴム栓を使わない時にすっきりとした状態で衛生的に保持できる排水栓を提供する。【解決手段】ゴム栓２とギボシ５が鎖で繋がれてなる排水栓において、ゴム栓２の裏には凹部３ｄが形成され、洗面器７ｂ側に固定されるギボシ５には、凹部３ｄ内に嵌合される凸部５ｃが形成されており、ギボシ５上に宙に浮かせた状態でゴム栓２を置くことができる。【選択図】図５
2013100677.tif 000002
【特許請求の範囲】
【請求項１】
ゴム栓とギボシが鎖で繋がれてなる排水栓であって、
前記ゴム栓の裏には凹部が形成されているとともに、
前記ギボシには前記凹部に嵌合される凸部が形成されている
ことを特徴とする排水栓。
【請求項２】
前記凹部の深さは前記凸部の高さより小さく設定されていることを特徴とする請求項１に記載の排水栓。
【発明の詳細な説明】
【技術分野】
【０００１】
本発明は、排水栓に関するものである。
【背景技術】
【０００２】
従来、特許文献１に開示されているように、水栓本体に突出状に係止部を設けて、この係止部に排水栓の鎖部分を掛止して、排水栓を宙に浮かせた状態に保持できる構造が存在する。
【先行技術文献】
【特許文献】
【０００３】
【特許文献１】特開２００１−５９２４７号公報
【発明の概要】
【発明が解決しようとする課題】
【０００４】
上記特許文献１に開示されている構造では、排水栓を宙に浮かせて、排水栓を衛生的な乾燥状態に保つことができるものであるが、水栓本体から係止部が突出して露出しているため、見栄えが悪く、また、この突出した係止部にシャワーホース等が引っ掛かりやすく邪魔になる等の問題点があった。
【課題を解決するための手段】
【０００５】
本発明は、邪魔になることがなく、使わない時にはゴム栓を衛生的な乾燥状態に保つことのできる排水栓の提供を目的とし、この目的の少なくとも一部を達成するために以下の手段を採った。
本発明は、ゴム栓とギボシが鎖で繋がれてなる排水栓であって、前記ゴム栓の裏には凹部が形成されているとともに、前記ギボシには前記凹部に嵌合される凸部が形成されていることを要旨とする。
【発明の効果】
【０００６】
排水栓のゴム栓を使わない時には、ギボシの凸部にゴム栓の凹部を嵌合させて、ギボシ上にゴム栓を宙に浮かした状態で保持しておくことができ、すっきりとした状態にゴム栓を保持させておくことができて見栄えが良く、また、従来のような突出した係止部等は存在しないために邪魔になることがなく、ゴム栓を良好な乾燥状態として衛生的に保持できるものとなる。
【０００７】
また、本発明の排水栓において、前記凹部の深さは前記凸部の高さより小さく設定されているものとすることもできる。
こうすれば、ギボシ上にゴム栓を置いた時にも、ゴム栓の底側は洗面器に接触しないために、良好に宙に浮いた状態が保持され、ゴム栓の水切れが良くなり、ゴム栓を衛生的な乾燥状態に保つことができるものとなる。
【図面の簡単な説明】
【０００８】
【図１】排水栓の分解斜視図である。
【図２】排水栓を構成するギボシ上にゴム栓を置いた状態の斜視構成図である。
【図３】図２の状態の縦方向の半断面斜視構成図である。
【図４】洗面台の斜視構成図である。
【図５】洗面器に固定したギボシ上にゴム栓を載せて保持している状態の縦断面拡大構成図である。
【図６】洗面器に固定したギボシ上にゴム栓を載せた時に、ゴム栓の底側が玉鎖に乗り上げる状態の縦断面拡大構成図である。
【発明を実施するための形態】
【０００９】
次に、本発明を実施するための形態を実施例を用いて説明する。
図１は、排水栓の構成部材の分解斜視図であり、排水栓１は、ゴム栓２と、取付け部材３と、ギボシ５と、取付け部材３とギボシ５を連結する玉鎖４で構成されている。
【００１０】
ゴム栓２の中央部に形成された通し孔２ａ内に、取付け部材３の円柱部３ｂを下方側から差し込み、取付け部材３の円柱部３ｂをゴム栓２の上面から上方へ突出させておき、この状態で、取付け部材３の円柱部３ｂの上端に縦方向に形成されている挿入穴３１内に、上方から玉鎖４の先端の一対の玉部４ａ，４ａを挿入し、その状態で、円柱部３ｂに形成されているスリット溝３２内に横方向からＵ字状の抜け止め部材６を嵌め込んで、抜け止め部材６で玉鎖４の玉部４ａ，４ａ間を挟み込んで、抜け止め部材６により玉鎖４の先端を取付け部材３に取り付け固定することができ、また、ギボシ５のフランジ部５ａ上に上方へ突出して形成されている円柱状の凸部５ｃにも、横方向に挿入穴５１が形成されており、上面側からスリット溝５２が形成されており、玉鎖４の他端を挿入穴５１内に挿入し、スリット溝５２内に上方から抜け止め部材６を嵌め込んで、抜け止め部材６により玉鎖４の他端をギボシ５に固定することができ、これにより取付け部材３とギボシ５が玉鎖４で連結された状態となる。
【００１１】
ギボシ５は、フランジ部５ａから垂下状にネジ部５ｂが形成されており、このネジ部５ｂは、図４に示すような洗面台７の洗面器７ｂにねじ込んで、洗面器７ｂの上面にフランジ部５ａを当接させてギボシ５は洗面器７ｂに固定されるものであり、ゴム栓２は洗面器７ｂの排水口に嵌め込んで使用するものであるが、ゴム栓２を使用しない時には、図２に斜視図で示すように、ギボシ５上にこのゴム栓２を宙に浮かせた状態で置くことができるように構成されている。
【００１２】
即ち、図３は、ギボシ５上にゴム栓２を置いた状態の半断面斜視図であり、図５は、ゴム栓２を置いた状態の縦断面拡大構成図である。
ゴム栓２の通し孔２ａと連通してゴム栓２の底側中央部には、円錐台形状の台形凹部２ｂが凹ませて形成されており、この台形凹部２ｂ内に、取付け部材３の円柱部３ｂの下端の円台部３ａが嵌まり込むものであり、この取付け部材３の円台部３ａの底面側には、円柱形状に凹ませて凹部３ｄが形成されており、この凹部３ｄ内に、ギボシ５の円柱状の凸部５ｃを嵌合させることができるように構成されている。
従って、ギボシ５は洗面器７ｂ側に固定されているので、ゴム栓２を使用しない時には、ギボシ５の凸部５ｃに対し上方側から凹部３ｄを嵌め込んで、ギボシ５の上端にゴム栓２を宙に浮いたすっきりとした状態で保持しておくことができるものである。
【００１３】
なお、ゴム栓２側の取付け部材３の凹部３ｄの上下深さ寸法は、ギボシ５の凸部５ｃの上下高さ寸法より小さく設定されており、そのためゴム栓２は図５に示すように、ギボシ５上に置かれた時に洗面器７ｂの上面から浮いた状態で保持され、良好にゴム栓２の水切れが行われることとなり、ゴム栓２を衛生的な乾燥状態に保つことができるものである。しかも、ギボシ５上にゴム栓２がすっきりとした状態で置かれるために見栄えが良く、従来のような突起物は存在しないために、シャワーホース等が引っ掛かるようなこともない。
【００１４】
このようにゴム栓２を使用しない時には、ギボシ５の上端にすっきりとした状態で保持させておくことができ、従来のように、ゴム栓２を洗面器７ｂの上に置いたり、水栓に巻き付けたりする必要がなく、すっきりとした状態にゴム栓２をギボシ５上に置いて、カビや水垢などによる汚れを遮断して、衛生的にゴム栓２を保持しておくことができるものとなる。
【００１５】
なお、本例では、凹部３ｄの深さは凸部５ｃの高さよりも小さく設定されたものを例示しているが、凹部３ｄが深く形成されていても、ギボシ５の凸部５ｃに凹部３ｄを上方から嵌め込んだ時には、図６に示すように、ゴム栓２の底側が玉鎖４に乗り上げることとなるので、この玉鎖４の分だけは洗面器７ｂとゴム栓２の底面間には空間が形成されるため、ゴム栓２の底側を洗面器７ｂから浮かせて衛生的に保持できるものである。
【００１６】
また、本例では、凹部３ｄは取付け部材３の円台部３ａの底面側に形成したものを例示しているが、ゴム栓２の底側に凹部３ｄを形成して、ギボシ５の凸部５ｃにゴム栓２の凹部３ｄを上方から嵌め込む構成であっても、ギボシ５の上端にゴム栓２を宙に浮いたすっきりとした状態に保持しておくことができる。
【符号の説明】
【００１７】
１  排水栓
２  ゴム栓
２ａ  通し孔
２ｂ  台形凹部
３  取付け部材
３ａ  円台部
３ｂ  円柱部
３ｄ  凹部
４  玉鎖
４ａ  玉部
５  ギボシ
５ａ  フランジ部
５ｂ  ネジ部
５ｃ  凸部
６  抜け止め部材
７  洗面台
７ｂ  洗面器
【図１】
2013100677.tif 000003
【図２】
2013100677.tif 000004
【図３】
2013100677.tif 000005
【図４】
2013100677.tif 000006
【図５】
2013100677.tif 000007
【図６】
2013100677.tif 000008